(57)【特許請求の範囲】
【請求項１】
複数のパチンコ台を列設した遊技島において、
遊技島は、各パチンコ台から排出されるパチンコ玉を回収して流下させるアウト玉回収樋と、
パチンコ台で使用するためのパチンコ玉を貯留可能な貯留タンクと、
該貯留タンクの玉排出口から排出されるパチンコ玉と前記アウト玉回収樋を転動してくるパチンコ玉とを合流させて揚送装置へ案内する合流回収樋と、を有し、
該合流回収樋には、前記貯留タンクの玉排出口と前記アウト玉回収樋の間の位置からパチンコ玉の流下方向に沿って規制部材を設け、
貯留タンクの玉排出口から排出されるパチンコ玉が前記合流回収樋全域に広がらないようにパチンコ玉の流れを規制することを特徴とする遊技島。
【請求項２】
複数のパチンコ台を列設した遊技島において、
遊技島は、各パチンコ台から排出されるパチンコ玉を回収して流下させるアウト玉回収樋と、
パチンコ台で使用するためのパチンコ玉を貯留可能な貯留タンクと、
該貯留タンクの玉排出口から排出されるパチンコ玉と前記アウト玉回収樋を転動してくるパチンコ玉とを合流させて揚送装置へ案内する合流回収樋と、を有し、
該合流回収樋には、前記貯留タンクの玉排出口と前記アウト玉回収樋の間の位置からパチンコ玉の流下方向に沿って延びる溝を底面に設けたことを特徴とする遊技島。
【請求項３】
複数のパチンコ台を列設した遊技島において、
遊技島は、各パチンコ台から排出されるパチンコ玉を回収して流下させるアウト玉回収樋と、
パチンコ台で使用するためのパチンコ玉を貯留可能な貯留タンクと、
該貯留タンクの玉排出口から排出されるパチンコ玉と前記アウト玉回収樋を転動してくるパチンコ玉とを合流させて揚送装置へ案内する合流回収樋と、を有し、
該合流回収樋には  前記貯留タンクの玉排出口と前記アウト玉回収樋の間の位置からパチンコ玉の流下方向に沿った段差を底面に設け、
前記貯留タンクの玉排出口から排出されるパチンコ玉は段差の下段側を流下すると共に、前記アウト玉回収樋から転動してきたパチンコ玉は段差の上段側を流下することを特徴とする遊技島。
【発明の詳細な説明】
【技術分野】
【０００１】
本発明は、複数台のパチンコ台を列設した遊技島に関する。
【背景技術】
【０００２】
パチンコ店では、複数のパチンコ台を列設した遊技島を複数設置している。各遊技島においては、パチンコ台で使用されたパチンコ玉は遊技島の下部に設けた回収樋で回収されて、遊技島の中央に設置された揚送装置によって磨かれながら遊技島の上部に揚送される。揚送装置で磨かれながら揚送されたパチンコ玉は遊技島の上部から補給樋を介して各パチンコ台へ供給される。パチンコ台への供給が充分に間に合っている状態のときに揚送装置で揚送されたパチンコ玉は、遊技島中央のオーバーフロー流路を介して遊技島下部に設けた貯留タンクへ送られて貯留される。貯留タンクに貯留されたパチンコ玉は、貯留タンクの排出口に設けた電動シャッタが必要に応じて開くことにより回収樋へ排出されて、揚送装置で遊技島上部へ磨かれながら揚送されてパチンコ台へ供給される。上記のように遊技島を構成して、パチンコ玉が遊技島内を循環するようにし、営業時に補給トラブル等の支障がないようにしている。このような遊技島が例えば特許文献１に記載されている。
【０００３】
貯留タンクの電動シャッタが開くと、多量のパチンコ玉が貯留タンク内から回収樋上へ排出され、パチンコ台で使用されたパチンコ玉と同じく回収樋を介して揚送装置へ送られる。このとき、貯留タンクから排出されるパチンコ玉は、貯留タンク内に貯留された多量のパチンコ玉の圧力により勢いが強いので、パチンコ台で使用されて排出され回収樋上を流下するパチンコ玉は、貯留タンクから排出されるパチンコ玉によってその流れを妨げられてしまい、回収樋上でパチンコ玉が詰まってしまうという問題が生じたり、遊技客によって使用されて汚れたパチンコ玉よりも揚送装置によって既に磨かれたパチンコ玉を貯留している貯留タンクから排出されるパチンコ玉が優先して揚送装置へ送られるので、玉磨きの効率が悪くなるという問題も生じていた。
【０００４】
また、上記の貯留タンクの電動シャッタや揚送装置などの遊技島内のパチンコ玉を循環させるための機器が故障した場合の修理または交換の際に、貯留タンクの玉排出口から多量のパチンコ玉が流れだしていると作業が非常に困難になるという問題が生じていた。
【０００５】
【特許文献１】特開平８−１９６７２７号公報
【発明の開示】
【発明が解決しようとする課題】
【０００６】
本発明は上記の問題点に鑑み、回収樋上を転動するパチンコ玉の流れが、貯留タンクから排出されるパチンコ玉によって妨げられることを防止した遊技島を提供することを目的とする。また、本発明は遊技島内のパチンコ玉を循環させる機器の修復作業を容易に行うことができる遊技島を提供することを目的とする。
【課題を解決するための手段】
【０００７】
このため、本発明の請求項１は、複数のパチンコ台を列設した遊技島において、遊技島は、各パチンコ台から排出されるパチンコ玉を回収して流下させるアウト玉回収樋と、パチンコ台で使用するためのパチンコ玉を貯留可能な貯留タンクと、貯留タンクの玉排出口から排出されるパチンコ玉とアウト玉回収樋を転動してくるパチンコ玉とを合流させて揚送装置へ案内する合流回収樋と、を有し、合流回収樋には、貯留タンクの玉排出口とアウト玉回収樋の間の位置からパチンコ玉の流下方向に沿って規制部材を設け、貯留タンクの玉排出口から排出されるパチンコ玉が合流回収樋全域に広がらないようにパチンコ玉の流れを規制する構成とした。
【０００８】
また、本発明の請求項２は、複数のパチンコ台を列設した遊技島において、遊技島は、各パチンコ台から排出されるパチンコ玉を回収して流下させるアウト玉回収樋と、パチンコ台で使用するためのパチンコ玉を貯留可能な貯留タンクと、貯留タンクの玉排出口から排出されるパチンコ玉とアウト玉回収樋を転動してくるパチンコ玉とを合流させて揚送装置へ案内する合流回収樋と、を有し、合流回収樋には、貯留タンクの玉排出口とアウト玉回収樋の間の位置からパチンコ玉の流下方向に沿って延びる溝を底面に設けた構成とした。
【０００９】
また、本発明の請求項３は、複数のパチンコ台を列設した遊技島において、遊技島は、各パチンコ台から排出されるパチンコ玉を回収して流下させるアウト玉回収樋と、パチンコ台で使用するためのパチンコ玉を貯留可能な貯留タンクと、貯留タンクの玉排出口から排出されるパチンコ玉とアウト玉回収樋を転動してくるパチンコ玉とを合流させて揚送装置へ案内する合流回収樋と、を有し、合流回収樋には  貯留タンクの玉排出口とアウト玉回収樋の間の位置からパチンコ玉の流下方向に沿った段差を底面に設け、貯留タンクの玉排出口から排出されるパチンコ玉は段差の下段側を流下すると共に、アウト玉回収樋から転動してきたパチンコ玉は段差の上段側を流下する構成とした。
【発明の効果】
【００１１】
本発明によれば、多量のパチンコ玉が貯留タンクの玉排出口から合流回収樋へ流れ出している場合でも、上記種々の構成によって玉排出口から流れ出しているパチンコ玉の流れが規制され、合流回収樋全域に広がって流れ出すことがないので、パチンコ台で使用されてアウト玉回収樋へ排出されて流下するパチンコ玉の流れが妨げられることがなく、スムーズに合流回収樋上に流下することができる。
【００１２】
また、本発明においては、貯留タンクの電動シャッタや揚送装置などの遊技島内のパチンコ玉を循環させる機器が故障した場合の修理や交換を行う際に、手動シャッタによって貯留タンクの玉排出口を閉じておくことができるので、貯留タンク内に貯留されたパチンコ玉が玉排出口から流れ出すことがなく容易に作業を行うことができる。
【発明を実施するための最良の形態】
【００１３】
以下、本発明の実施の形態について説明する。
図１は遊技島１０の構成を示す側面図である。遊技島１０は、複数のパチンコ台１２を横方向に並べて１面とするとともに、同様の面を背中合わせにして構成されている。島端には適宜に計数機１２が設けられている。遊技島１０の中央部にはパチンコ玉を研磨しながら上部タンク１６へ揚送する揚送装置２４が設置され、パチンコ台列の下部にはパチンコ玉を貯留する貯留タンク３０が設けられている。
【００１４】
貯留タンク３０の揚送装置２４側の一端には電動シャッタ２０が設けられ、電動シャッタ２０が開くことにより貯留タンク３０の底部から当該タンク内のパチンコ玉を合流回収樋２２へ排出し、合流回収樋２２を通して揚送装置２４へ供給する。
上部タンク１６からは遊技島１０の長手方向に補給樋１８、１８が延びて、詳細は図示省略するが各パチンコ台１４へパチンコ玉を補給する。また、上部タンク１６の容量を超えてあふれたパチンコ玉は遊技島１０の中央部に設けられたオーバーフロー管から貯留タンク３０へ回収されるようになっている。なお、このオーバーフロー管は不図示であるが、図１上において揚送装置２４の奥側に設けられており、オーバーフロー管に流入したパチンコ玉は貯留タンク３０内に設けた後述の玉均し板４４上に誘導される。
また、計数機１２に受け入れられたパチンコ玉はアウト玉回収樋２１を経て揚送装置２４へ回収される。
【００１５】
貯留タンク３０にはパチンコ玉の貯留量を検出する複数の貯留量センサ８４が付設されており、上述した構成の複数の遊技島１０が複数配置され、それぞれ隣接する遊技島１０間に遊技島間でのパチンコ玉貯留量のバランスをとるためパチンコ玉を移動させる樋状の玉バランス通路（不図示）が設けられている。
【００１６】
通常は、揚送装置２４は常時駆動されており、個別のパチンコ台１４に投入されたパチンコ玉は揚送装置２４へ戻されて、上部タンク１６−パチンコ台１４−揚送装置２４−上部タンク１６の順に循環している。上部タンク１６をオーバーフローしたパチンコ玉は貯留タンク３０に貯留される一方、不足してくると電動シャッタ２０が開かれて、貯留タンク３０から揚送装置２４へパチンコ玉が供給される。
【００１７】
図２は貯留タンク３０の外観斜視図であり、図３は貯留タンク３０の内部の底面部分を示した斜視図であり、図４は貯留タンク３０の玉排出口３８近傍を示した拡大斜視図である。
貯留タンク３０は、底面３２が所定の傾斜角度で揚送装置２４側に向って下り傾斜しているとともに、その下流端には幅方向中央に玉排出口３８を有し、この玉排出口３８には前述の電動シャッタ２０が設けられ、電動シャッタ２０が開くことにより貯留タンク３０内のパチンコ玉が玉排出口３８を通って合流回収樋２２へ排出される。
【００１８】
貯留タンク３０内の上部には、両側壁３０ａ，３０ａに沿って貯留タンクの下流端から上流端に向って下り傾斜して設けられたアウト玉回収樋４０，４０が設けられている。このアウト玉回収樋４０，４０は上流端壁３０ｂを貫通しており、貯留タンク３０の上方位置に設置されたパチンコ台１４で使用されたパチンコ玉は、このアウト玉回収樋４０，４０上へ排出されてアウト玉回収樋２３へ転動する。なお、貯留タンク３０が設置された上方位置よりも遊技島１０の端側（図１における左側）に設置されたパチンコ台１４で使用されたパチンコ玉は直接アウト玉回収樋２３上に排出される。
【００１９】
貯留タンク３０底面３２の両隅角部には、アウト玉回収樋４２が貯留タンク３０の上流端から下流端に渡って設けられており、アウト玉回収樋２３上のパチンコ玉が貯留タンク３０内部を通ることなくアウト玉回収樋４２を通って合流回収樋２２を介して揚送装置２４へ誘導される。
【００２０】
貯留タンク３０内の上部中央位置には、平板状の玉均し板４４が、アウト玉回収樋４０，４０との間に隙間を有して貯留タンク３０の下流端から上流端に向って下り傾斜して設けられており、オーバーフロー管（不図示）で上部タンク１６から流下したパチンコ玉が玉均し板４４上に誘導される。そして、玉均し板４４上を貯留タンク３０内の下流端側に向って転動しながら玉均し板４４とアウト玉回収樋４０，４０との間の隙間から貯留タンク３０内へ流下する。
【００２１】
貯留タンク３０底面３２の幅方向中央位置には、貯留タンク３０の長手方向に沿って上流側から下流端に通じる玉通路３６を備えている。この玉通路３６は、上壁３４ａと側壁３４ｂ、３４ｂとから構成された断面コの字状の枠部材３４を底面３２に固定することで形成され、上壁３４ａは底面３２よりパチンコ玉の直径寸法以上高い高さを有する。また、玉通路３６を形成する枠部材３４は、貯留タンク３０の上流側で開口した上流側開口３７を有しており、貯留タンク３０内のパチンコ玉がこの上流側開口３７から玉通路３６内に入る。そして、上流側開口３７から玉通路３６内に流入したパチンコ玉は貯留タンク３０の下流端に向って転動する。さらに枠部材３４は、貯留タンク３０の下流端壁３０ｃ付近に側壁３４ｂを切り欠くことによりパチンコ玉が通過可能に形成した下流側開口３５を有している。この下流側開口３５により、上流側開口３７で玉通路３６に入ることなく貯留タンク３０底面３２を転動してきたパチンコ玉と、上流側開口３７から玉通路３６内に流入して玉通路３６内を転動してきたパチンコ玉とが後述の合流部４６にて合流できるようになっている。
【００２２】
枠部材３４の上壁３４ａは、幅方向の中央を上流側開口３７に連続してＶ字状に切欠いた切欠き部３７ａを有している。このＶ字状の切欠き部３７ａにより、上壁３４ａの上流側の縁が貯留タンク３０底面３２の傾斜方向に対して斜めになるので、上流側開口３７に多量のパチンコ玉が押し寄せる状態となっても、パチンコ玉が上壁３４ａの縁に沿って斜めに移動することができ、上流側開口３７において玉詰まりを起こすことがない。
【００２３】
貯留タンク３０下流端の玉排出口３８の直前位置には、上流側開口３７から玉通路３６へ流入して玉通路３６内を転動してきたパチンコ玉と、上流側開口３７で玉通路３６に入ることなく貯留タンク３０内を下流端まで転動してきたパチンコ玉とが合流する合流部４６が設けられている。この合流部４６は、幅寸法が玉排出口３８の幅とほぼ同じ大きさで設けられ、合流部底面４６ａは貯留タンク３０の底面３２からパチンコ玉の直径寸法分以上低く形成されている。
【００２４】
合流部４６以外の貯留タンク３０下流端領域の底面は、合流部底面４６ａに向って下り傾斜した傾斜部４８となっていて、貯留タンク３０底面３２から傾斜部４８上に転動したパチンコ玉は、傾斜部４８の傾斜に従って合流部底面４６ａへ転動し、玉排出口３８へ誘導され合流回収樋２２を介して揚送装置２４へ供給される。この傾斜部４８は終端縁４８ａが合流部底面４６ａよりもパチンコ玉の直径寸法分以上高い位置となるように設けてある。
【００２５】
傾斜部４８を通ることなく貯留タンク３０の底面３２から直接合流部４６へ転動したパチンコ玉は、傾斜部４８から合流部底面４６ａを通って貯留タンク３０外部へ流出するパチンコ玉の上に重なって玉排出口３８へ転動する。したがって、玉排出口３８からはパチンコ玉が２段に重なった状態で排出される。さらに、２段に重なったパチンコ玉が玉排出口３８からスムーズに排出できるように、玉排出口３８の上縁は貯留タンク３０の底面３２よりパチンコ玉の直径寸法分以上高い位置に設けてある。
【００２６】
また、合流部４６の幅方向の位置は、玉通路３６と同じ位置、即ち貯留タンク３０の幅方向中央位置に設けてあり、また、玉通路３６の幅寸法が玉排出口３８とほぼ同じ大きさに設けてあるので、上流側開口３７で玉通路３６に入ることなく貯留タンク３０内を転動してきたパチンコ玉が傾斜部４８上を転動して合流部底面４６ａから玉排出口３８を通って貯留タンク３０外部へ流出し、そのパチンコ玉の上から、上流側開口３７から玉通路３６へ流入して玉通路３６内を転動してきたパチンコ玉が重なって貯留タンク３０外部へ流出する。
【００２７】
貯留タンク３０内の玉排出口３８上方位置には、下流端壁３０ｃから上流側に向って下り傾斜した圧逃板４５が設けられている。この圧逃板４５は、貯留タンク３０内にパチンコ玉が多量に貯留されている場合に、玉排出口３８部分でのパチンコ玉の圧力を弱め、スムーズにパチンコ玉が流下するようにしている。この圧逃板４５は、先端がアウト玉回収樋４２の上壁４２ａ、及び玉通路３６（枠部材３４）の上壁３４ａとの間隔がパチンコ玉の直径よりも小さくなるように設けられている。
【００２８】
上記の構成により、貯留タンク３０の玉排出部３８からパチンコ玉が排出される際に、貯留タンク３０の上流側に貯留されたパチンコ玉と、貯留タンク３０の下流側で貯留されたパチンコ玉とがバランスよく排出される。また、玉通路３６内を転動するパチンコ玉には、その上方から貯留タンク３０内に貯留されるパチンコ玉の重量が加えられないので、玉詰まりを起こすことがない。さらに、玉排出口３８からパチンコ玉が上下２段に重なった状態で排出することができるので、玉排出口３８の幅を広げることなく迅速に大量のパチンコ玉を排出することができる。
【００２９】
また、傾斜部４８の終端縁４８ａが合流部底面４６ａよりもパチンコ玉の直径寸法分以上高い位置となるように設けてあるので、上流側開口３７よりも下流側までしかパチンコ玉が貯留されていないときなどの玉通路３６から合流部４６に流下するパチンコ玉がないときでも、玉通路３６外の貯留タンク３０底面３２から合流部底面４６ａに流下したパチンコ玉の上に後続して流下したパチンコ玉が重なった状態となって排出される。従って、玉通路３６内を転動して合流部４６に流下するパチンコ玉があるときと同様に、パチンコ玉が玉排出口３８から上下２段に重なった状態で排出されるので、迅速に大量のパチンコ玉を排出することができる。
【００３０】
図５は貯留タンク３０の下流端壁３０ｃ周辺を示した拡大斜視図である。電動シャッタ２０は、スライド部材５０と、スライド部材５０を駆動するモータ８６が取付けられた取付部材５９とを有している。
取付部材５９はモータ８６を取り付けた主壁６０の両側端を同方向に曲げて側壁６２としたコ字形状とし、貯留タンク３０の下流端壁３０ｃに取付けられている。
【００３１】
取付部材５９の両側壁６２，６２に形成した縦方向の長孔６２ａには、スライド部材５０の側壁５２に固設した係止ピン５２ａを遊挿してあり、モータ８６が回転すると取付部材５０の内部に設けた不図示のクランク機構が作動してスライド部材５０が上下方向に移動することができる構成としている。そして、スライド部材５０は両側壁５２，５２の間の背面板５５に閉塞板５７を取付けて構成してあり、スライド部材５０が上方に移動すると図５（ｂ）に示すように閉塞板５７が玉排出口３８を閉じ、下方に移動すると図５（ａ）に示すように玉排出口３８を開ける。なお、この閉塞板５７は後述の手動シャッタ６５の閉塞板６７の手前側（下流端壁３０ｃから離間する側）に並んで位置している。
【００３２】
図６は貯留タンク３０の下流端壁３０ｃ周辺を示した拡大斜視図で、電動シャッタ２０をはずした状態の図である。以下、図６により、手動シャッタ６５について説明する。
手動シャッタ６５の閉塞板６７は、貯留タンク３０の下流端壁３０ｃに上下摺動自在に当接されると共に、縦方向に長孔６７ａが形成され、夫々の長孔６７ａ，６７ａに下流端壁３０ｃに固設した係止ピン６９を遊挿することによって、上下方向に移動することができ、上方に移動させたときには図６（ｂ）に示すように玉排出口３８を閉じ、下方に移動させたときには図６（ａ）に示すように玉排出口３８を開ける。
【００３３】
また、貯留タンク３０の下流端壁３０ｃに設けた細長形状の固定ピン取付片６８の先端に固設した固定ピン６８ａと、閉塞板６７に設けた固定孔６７ｂとにより、閉塞板６７を上方に移動させた状態で固定することができる。詳述すると、固定ピン取付片６８は細長形状の可撓性を有した板で形成してあり、閉塞板６７を下方に移動させた状態のときは、固定ピン取付片６８の表面から突出した状態の固定ピン６８ａの頭部の分だけ閉塞板６７の背面に押されて撓んだ状態となっていて、閉塞板６７を上方まで移動させると、閉塞板６７の固定孔６７ｂが固定ピン６８ａの位置に至って固定ピン取付片６８の撓みが戻り、固定孔６７ｂに固定ピン６８ａが嵌ることにより固定される。
【００３４】
従って、揚送装置２４や電動シャッタ２０などの遊技島内でパチンコ玉を循環させる機器が故障して修理や交換を行う際に、上記の手動シャッタ６５によって玉排出口３８を閉じることができ、また閉じた状態で固定しておくことができるので、貯留タンク３０内に貯留されたパチンコ玉が玉排出口３８から流れ出すことがなく容易に作業を行うことができる。また、上記電動シャッタ２０、手動シャッタ６５の閉塞板５７，６７は玉排出口３８の下側から上昇して玉排出口３８を閉じるので、上側から下降して閉じる場合のように底面と閉塞板との間にパチンコ玉が噛んでしまうことがない。さらに、簡易な構成で手動シャッタ６５を形成しているので、コストを低減することができる。なお、実施例の長孔６７ａ、係止ピン６９が発明におけるスライド手段を構成し、固定孔６７ｂ、固定ピン６８ａが発明における固定手段を構成している。
【００３５】
図７〜９は、合流回収樋２２の各実施例を示す斜視図であり、各実施例の構成により、パチンコ台から排出されてアウト玉回収樋２３、４２を経て合流回収樋２２に転動してきたパチンコ玉の流れが、貯留タンク３０の玉排出口３８から合流回収樋２２に排出されたパチンコ玉の圧力によって妨げられることを防止する構成としている。
【００３６】
第１の実施例としては、図７に示すように、合流回収樋２２底面７６に、玉排出口３８と左右のアウト玉回収樋４２，４２の出口との間の位置から下流側に向けてパチンコ玉の流下方向に沿った規制部材７０を設けた構成とし、貯留タンク３０の玉排出口３８から排出されたパチンコ玉は、規制部材７０によって合流回収樋２２の全域に広がらないように流れが規制されるので、アウト玉回収樋４２から流下してきたパチンコ玉の流れを妨げることを防止できる。
底面７６からの規制部材７０の高さについては、所定以上高く（例えばパチンコ玉の半径以上）設定すれば玉排出口３８から排出されたパチンコ玉は規制部材７０の外側には転動することはなく、低く設定するに従って規制部材７０を乗り越えて外側（合流回収樋２２の側壁側）へ広がって転動するパチンコ玉の割合が高くなっていくので、求めるパチンコ玉の流れ方によって高さを設定するとよい。規制部材７０の長さについても、長く設定するに従って玉排出口３８から排出されるパチンコ玉の流れを規制する範囲が大きくなるので、求めるパチンコ玉の流れ方によって長さを設定するとよい。また、規制部材７０は金属製の硬質な板状などで形成したものであったり、ゴムなどの弾性材で形成したものであったりしてもよい。また、規制部材７０は底面７６に設ける構成を示したが、例えば合流回収樋２２に蓋などを設けて蓋の天井から底面に向けて設ける構成して設けるなどしてもよい。
【００３７】
第２の実施例としては、図８に示すように、合流回収樋２２底面７６に、玉排出口３８と左右のアウト玉回収樋４２，４２の出口との間の位置から下流側に向けてパチンコ玉の流下方向に沿った溝７２を設けた構成とし、貯留タンク３０の玉排出口３８から排出されたパチンコ玉は、溝７２によって合流回収樋２２の全域に広がらないように流れが規制されるので、アウト玉回収樋４２から流下してきたパチンコ玉の流れを妨げることを防止できる。
溝７２の幅はパチンコ玉の直径未満であり、直径の４分の１程度以上あることが望ましい。広く設定すれば（例えばパチンコ玉の半径以上直径未満程度）、貯留タンク３０やアウト玉回収樋４２から流下してきたパチンコ玉が溝７２に嵌って並んで留まり、その溝７２に嵌った状態で並んだパチンコ玉が壁のようになって、後続して玉排出口から排出されるパチンコ玉は溝７２の外側には転動することがなく、また、狭く設定するに従って溝７２を越えて外側（合流回収樋２２の側壁側）へ広がって転動するパチンコ玉の割合が高くなっていくので、求めるパチンコ玉の流れ方によって幅を設定するとよい。溝７２の長さについても、長く設定するに従って玉排出口３８から排出されるパチンコ玉の流れを規制する範囲が大きくなるので、求めるパチンコ玉の流れ方によって長さを設定するとよい。
【００３８】
第３の実施例としては、図９に示すように、合流回収樋２２の底面７６に、玉排出口３８と左右のアウト玉回収樋４２，４２の出口との間の位置から下流側に向けてパチンコ玉の流下方向に沿った段差７５を有した構成とし、貯留タンク３０の玉排出口３８から排出されたパチンコ玉は、段差７５下段側の下段側底面７６ｂへ流下し、アウト玉回収樋４２を転動してきたパチンコ玉は、段差７５上段側の上段側底面７６ａへ流下する。貯留タンク３０の玉排出口３８から排出されたパチンコ玉は、段差７５によって合流回収樋２２の全域に広がらないように流れが規制されるので、アウト玉回収樋４２から流下してきたパチンコ玉の流れを妨げることを防止できる。
段差７５の高さについては、所定以上高く（例えばパチンコ玉の半径以上）設定すれば玉排出口３８から排出されたパチンコ玉は段差を越えて上段側底面７６ａには転動することはなく、低く設定するに従って段差７５を乗り越えて上段側底面７６ａへ広がって転動するパチンコ玉の割合が高くなっていくので、求めるパチンコ玉の流れ方によって高さを設定するとよい。段差７５の長さについても、長く設定するに従って玉排出口３８から排出されるパチンコ玉の流れを規制する範囲が大きくなるので、求めるパチンコ玉の流れ方によって長さを設定するとよい。
【００３９】
上記のように、貯留タンク３０の電動シャッタ２０が開くと多量のパチンコ玉が玉排出口３８から合流回収樋２２へ流れ出すが、そのような場合でも、第１〜３の各実施例に示す構成によって流れが規制され、合流回収樋２２全域に広がって流れ出すことがないので、パチンコ台で使用されてアウト玉回収樋へ排出されて流下するパチンコ玉がスムーズに合流樋上に流下することができる。
従って、遊技客によって使用されて汚れたパチンコ玉であるアウト玉回収樋４２上のパチンコ玉がスムーズに揚送装置２４へ送られ、揚送装置２４によって既に磨かれたパチンコ玉を貯留している貯留タンク３０から排出されるパチンコ玉が優先して揚送装置２４へ送られることがないので、玉磨きの効率をよくすることができる。
また、アウト玉回収樋４２，２３は遊技島内の限られた高さスペース（パチンコ台よりも下方）の中で設置され、且つアウト玉回収樋４２，２３は所定の勾配を確保して設けなくてはならないので、アウト玉回収樋４２，２３の設置位置が高くなると、遊技島１０を長くすることができなくなるが、上記各実施例の構成ではアウト玉回収樋４２の下流端を高い位置に設定する必要がないので、遊技島１０を長くしてより多くのパチンコ台１４を設置することが可能となる。
【図面の簡単な説明】
【００４０】
【図１】遊技島の構成を示す図である。
【図２】貯留タンクの外観斜視図である。
【図３】貯留タンクの内部の底面部分を示した斜視図である。
【図４】貯留タンクの玉排出口近傍を示した拡大斜視図である。
【図５】貯留タンクの下流端壁周辺を示した拡大斜視図である。
【図６】貯留タンクの下流端壁周辺を示した拡大斜視図で、電動シャッタをはずした状態の図である。
【図７】合流回収樋の第１実施例を示す斜視図である。
【図８】合流回収樋の第２実施例を示す斜視図である。
【図９】合流回収樋の第３実施例を示す斜視図である。
【符号の説明】
【００４１】
１０    遊技島
１２    計数機
１４    パチンコ台
１６    上部タンク
１８    補給樋
２０    電動シャッタ
２１、２３、４０、４２    アウト玉回収樋
２２    合流回収樋
２４    揚送装置
３０    貯留タンク
３２    底面
３４    枠部材
３５    下流側開口
３６    玉通路
３７    上流側開口
３８    玉排出口
４０    アウト玉回収樋
４４    玉均し板
４５    圧逃板
４６    合流部
４８    傾斜部
５０    スライド部材
５２    側壁
５２ａ    係止ピン
５５    背面板
５７    閉塞板
５９    取付部材
６０    主壁
６２    側壁
６２ａ    長孔
６５    手動シャッタ
６７    閉塞板
６７ａ    長孔
６７ｂ    固定孔
６８    固定ピン取付片
６８ａ    固定ピン
６９    係止ピン
７０    規制部材
７５    段差
７６    底面
７６ａ    上段側底面
７６ｂ    下段側底面
８４    貯留量センサ
８６    モータ
【図１】
0005201980.tif 000002
【図２】
0005201980.tif 000003
【図３】
0005201980.tif 000004
【図４】
0005201980.tif 000005
【図５】
0005201980.tif 000006
【図６】
0005201980.tif 000007
【図７】
0005201980.tif 000008
【図８】
0005201980.tif 000009
【図９】
0005201980.tif 000010